(57)【特許請求の範囲】
【請求項１】
グループ通話に用いられる通信端末であって、
グループ内の他の通信端末により送信された第１の判別音を表す判別音情報と、通話に係る第１の音声データとを受信する受信部と、
受信した前記判別音情報により表される前記第１の判別音と、前記第１の音声データに基づく音声とを出力する出力部と、
通話に係る音声の入力を受け付ける音声入力部と、
自端末に係る判別音情報と、前記音声入力部により受け付けられた音声を表す音声データとをグループ内の他の通信端末に対し送信する送信部と、
使用判別音テーブルを記憶する記憶部と、
前記使用判別音テーブルを更新する制御部とを備え、
前記使用判別音テーブルは、何れかの端末で使用されている判別音についてのエントリーで構成され、当該エントリーは、判別音情報と、フラグとを含み、当該フラグは、当該判別音情報に対応する判別音を使用している端末が、自端末であるか、他端末であるかを示し、
前記制御部は、前記受信部が他の通信端末から判別音情報を受信した際、当該判別音情報と、他端末を示すよう設定されたフラグとを含むエントリーを、使用判別音テーブルに追加し、
前記制御部は、自端末が発言権を獲得した際、対応するエントリーが、使用判別音テーブルに存在しない判別音を、使用可能な複数の判別音の中から選び、選ばれた判別音についての判別音情報と、自端末を示すよう設定されたフラグとを含むエントリーを使用判別音テーブルに追加し、
前記送信部は、自端末に係る判別音が選ばれれば、自端末に係る判別音情報を、他端末に送信する
ことを特徴とする通信端末。
【請求項２】
前記通信端末は、さらに、
利用者による所定キーの押下を検出するキー入力部を備え、
前記送信部は、前記判別音情報及び前記音声データの送信は、前記キー入力部によって前記 所定キーの押下が検出されたときに開始する
ことを特徴とする請求項１記載の通信端末。
【請求項３】
前記キー入力部は、さらに、押下された前記所定キーの解放を検出し、
前記音声入力部は、前記通話に係る音声の入力を、前記キー入力部によって前記所定キーの押下が検出されたときから、前記所定キーの解放が検出されるまで受け付ける
ことを特徴とする請求項２記載の通信端末。
【請求項４】
前記判別音は、入力可能な複数キーコードのそれぞれに対応したDTMF音であり、個々のDTMF音は、高群帯域の中から選ばれた１の周波数と、低群帯域の中から選ばれた1つの周波数との組みによって特定され、
前記通信端末は、
第１の判別音と、同一のDTMF音についてのエントリーが、使用判別音テーブルに存在するか否かを判定する判定部を備え、
前記制御部による第１の判別音についてのエントリーの追加は、第１の判別音と、同一のDTMF音についてのエントリーが、使用判別音テーブルに存在しないと判定された場合に実行される
ことを特徴とする請求項１記載の通信端末。
【請求項５】
前記制御部は、前記グループ通話が終了した場合に、前記記憶部に記憶されている使用判別音テーブルの全てのエントリーを消去する制御を行う
ことを特徴とする請求項４記載の通信端末。
【請求項６】
前記判定部は、さらに、前記自端末に係るDTMF音に対応するエントリーが、使用判別音テーブルに存在するか否かを判定し、
前記制御部は、前記判定部によって、前記自端末に係るDTMF音に対応するエントリーが、使用判別音テーブルに存在しないと判定された場合、入力可能な何れかのキーコードに対応したDTMF音であって、対応するエントリーが、使用判別音テーブルに存在しないものを、自端末の判別音として選ぶ
ことを特徴とする請求項４記載の通信端末。
【請求項７】
前記判別音は、入力可能な複数キーコードのそれぞれに対応したDTMF音であり、個々のDTMF音は、高群帯域の中から選ばれた１の周波数と、低群帯域の中から選ばれた1つの周波数との組みによって特定され、
前記受信部は、前記第１の判別音を表す判別音情報として、第１のDTMF音を符号化した情報を受信し、
前記出力部は、前記第１の判別音として前記第１のDTMF音を出力し、
前記送信部は、前記自端末に係る判別音情報として、第２のDTMF音を符号化した情報を送信する
ことを特徴とする請求項１記載の通信端末。
【請求項８】
前記判別音は、入力可能な複数キーコードのそれぞれに対応したDTMF音であり、個々の
DTMF音は、高群帯域の中から選ばれた１の周波数と、低群帯域の中から選ばれた1つの周波数との組みによって特定され、
前記受信部は、前記第１の判別音を表す判別音情報として、第１のDTMF音を表す情報を受信し、
前記出力部は、異なるDTMF音を表す複数の判別音情報それぞれと、前記複数の判別音情報それぞれに重複なく割り当てられた音名との対応を表す対応情報を保持しており、前記対応情報を用いて前記第１の判別音情報に対応する音名を選出し、前記選出された音名で表現される音を前記第１の判別音として出力する
ことを特徴とする請求項１記載の通信端末。
【請求項９】
受信手段と、出力手段と、音声入力手段と、送信手段と、記憶手段とを備えた、グループ通話に用いられる通信端末に用いられる通信方法であって、
前記受信手段が、グループ内の他の通信端末により送信された第１の判別音を表す判別音情報と、通話に係る第１の音声データとを受信する受信ステップと、
前記出力手段が、受信した前記判別音情報により表される前記第１の判別音と、前記第１の音声データに基づく音声とを出力する出力ステップと、
前記音声入力手段が、通話に係る音声の入力を受け付ける音声入力ステップと、
前記送信手段が、自端末に係る判別音情報と、前記音声入力ステップにおいて受け付けられた音声を表す音声データとを前記グループ内の他の通信端末に対し送信する送信ステップとを含み、
前記記憶手段は、使用判別音テーブルを記憶し、
前記使用判別音テーブルは、何れかの端末で使用されている判別音についてのエントリーで構成され、当該エントリーは、判別音情報と、フラグとを含み、当該フラグは、当該判別音情報に対応する判別音を使用している端末が、自端末であるか、他端末であるかを示し、
前記受信手段は、他の通信端末から判別音情報を受信した際、当該判別音情報と、他端末を示すよう設定されたフラグとを含むエントリーを、使用判別音テーブルに追加し、
前記送信手段は、自端末が発言権を獲得した際、対応するエントリーが、使用判別音テーブルに存在しない判別音を、使用可能な複数の判別音の中から選び、選ばれた判別音についての判別音情報と、自端末を示すよう設定されたフラグとを含むエントリーを使用判別音テーブルに追加した上で、自端末に係る判別音情報を、他端末に送信する
ことを特徴とする通信方法。
【請求項１０】
コンピュータをグループ通話に用いられる通信端末として機能させるための通信プログラムであって、
前記コンピュータを、
グループ内の他の通信端末により送信された第１の判別音を表す判別音情報と、通話に係る第１の音声データとを受信する受信手段と、
受信した前記判別音情報により表される前記第１の判別音と、前記第１の音声データに基づく音声とを出力する出力手段と、
通話に係る音声の入力を受け付ける音声入力手段と、
自端末に係る判別音情報と、前記音声入力手段により受け付けられた音声を表す音声データとを前記グループ内の他の通信端末に対し送信する送信手段と、
使用判別音テーブルを記憶する記憶手段として機能させ、
前記使用判別音テーブルは、何れかの端末で使用されている判別音についてのエントリーで構成され、当該エントリーは、判別音情報と、フラグとを含み、当該フラグは、当該判別音情報に対応する判別音を使用している端末が、自端末であるか、他端末であるかを示し、
前記受信手段は、他の通信端末から判別音情報を受信した際、当該判別音情報と、他端末を示すよう設定されたフラグとを含むエントリーを、使用判別音テーブルに追加し、
前記送信手段は、自端末が発言権を獲得した際、対応するエントリーが、使用判別音テーブルに存在しない判別音を、使用可能な複数の判別音の中から選び、選ばれた判別音についての判別音情報と、自端末を示すよう設定されたフラグとを含むエントリーを使用判別音テーブルに追加した上で、自端末に係る判別音情報を、他端末に送信する
ことを特徴とする通信プログラム。
【発明の詳細な説明】
【技術分野】
【０００１】
本発明は、通信端末に関し、特に、グループ通話時の受話者による送話者の区別を補助する技術に関する。
【背景技術】
【０００２】
近年、電話機を用いた一般的な通話のように１対１で通話するのではなく、複数の通話端末でグループを構成し、グループ内のある通話端末から他の全通話端末へと音声を送信することができるＰＴＴ（Ｐｕｓｈ  Ｔｏ  Ｔａｌｋ）システムが広く用いられている。ＰＴＴシステムでは、トランシーバ型の通信方式が用いられており、送話者は、通話端末が備えるＰＴＴボタンを押している間だけ話すことができる。受話者は、グループ内のいずれの送話者からも音声を受信することになるので、送話者を区別するには、送話者の発する音声により直接区別するか、通話端末が備えるディスプレイに表示される現在の送話者の名前等を見て区別する必要がある。
【先行技術文献】
【特許文献】
【０００３】
【特許文献１】特開２００６−２４６２０１号公報
【発明の概要】
【発明が解決しようとする課題】
【０００４】
しかしながら、送話者の発する音声により区別する場合、区別の可否は受話者の判別能力や、送話者の話し方など不確定な要素により正確性が大きく低下する場合がある。また、ディスプレイに表示される送話者の名前を確認することで区別する場合、送話者は適宜変動するので、通話端末の使用者はＰＴＴ通話中に適宜ディスプレイを確認しなければならず、またディスプレイを確認することを意識しなければならない。よって、ディスプレイを見るためにレシーバを耳から離すことで、受話内容の一部を聞き逃してしまう虞もあった。
【０００５】
上記の課題に鑑み、本発明は、グループ通話時に、受話者が受話内容を聞き逃すのを防ぎつつ、受話者による送話者の区別を容易にすることができる通信端末を提供することを目的とする。
【課題を解決するための手段】
【０００６】
上記課題を解決するために、本発明は、
グループ通話に用いられる通信端末であって、
グループ内の他の通信端末により送信された第１の判別音を表す判別音情報と、通話に係る第１の音声データとを受信する受信部と、
受信した前記判別音情報により表される前記第１の判別音と、前記第１の音声データに基づく音声とを出力する出力部と、
通話に係る音声の入力を受け付ける音声入力部と、
自端末に係る判別音情報と、前記音声入力部により受け付けられた音声を表す音声データとをグループ内の他の通信端末に対し送信する送信部と、
使用判別音テーブルを記憶する記憶部と、
前記使用判別音テーブルの更新を行う制御部とを備え、
前記使用判別音テーブルは、何れかの端末で使用されている判別音についてのエントリーで構成され、当該エントリーは、判別音情報と、フラグとを含み、当該フラグは、当該判別音情報に対応する判別音を使用している端末が、自端末であるか、他端末であるかを示し、
前記制御部は、前記受信部が他の通信端末から判別音情報を受信した際、当該判別音情報と、他端末を示すよう設定されたフラグとを含むエントリーを、使用判別音テーブルに追加し、
前記制御部は、自端末が発言権を獲得した際、対応するエントリーが、使用判別音テーブルに存在しない判別音を、使用可能な複数の判別音の中から選び、選ばれた判別音についての判別音情報と、自端末を示すよう設定されたフラグとを含むエントリーを使用判別音テーブルに追加し、
前記送信部は、自端末に係る判別音が選ばれれば、自端末に係る判別音情報を、他端末に送信する。
【発明の効果】
【０００７】
本発明の通信端末は、上述の構成を備えることにより、グループ通話時に、受話者が受話内容を聞き逃すのを防ぎつつ、受話者による送話者の区別を容易にすることができる。
【図面の簡単な説明】
【０００８】
【図１】本発明の一実施の形態に係るＰＴＴシステムの構成の概略を示す図である。
【図２】本発明の一実施の形態に係る携帯電話機の内部構成を示す図である。
【図３】本発明の一実施の形態に係るＤＴＭＦ情報について説明するための図である。（ａ）は、ＤＴＭＦマトリクス、（ｂ）は、音名テーブル、（ｃ）は、使用ＤＴＭＦテーブルを示す図である。
【図４】本発明の一実施の形態に係る使用ＤＴＭＦテーブルの更新について説明するための図である。（ａ）は、ユーザＡがＰＴＴを開始し送話した場合、（ｂ）は、さらに、ユーザＢが送話した場合、（ｃ）は、さらに、ユーザＡが送話した場合、（ｄ）は、さらに、ユーザＣが送話した場合について説明するための図である。
【図５】本発明の一実施の形態に係るＰＴＴ実行処理を示すフローチャートである。
【図６】本発明の一実施の形態に係るＰＴＴ通話処理を示すフローチャートである。
【図７】本発明の一実施の形態に係るＰＴＴ参加処理を示すフローチャートである。
【図８】本発明の一実施の形態に係るＰＴＴサーバの内部構成を示す図である。
【図９】本発明の一実施の形態に係るＰＴＴサーバによるＰＴＴに係る処理を示すフローチャートである。
【図１０】本発明の一実施の形態に係るＰＴＴシステム全体のＰＴＴ実行時の処理を示すフローチャートである。
【発明を実施するための形態】
【０００９】
＜１．概要＞
本発明の一実施の形態に係るＰＴＴシステムは、ＰＴＴにおける音声の受話者が、その受話者の携帯電話機のディスプレイに表示される送話者の名を確認することなく、送話者を区別容易にしたものである。
図１は、本発明の一実施の形態に係るＰＴＴシステム１の構成の概略を示す図である。
【００１０】
ＰＴＴシステム１は、ＰＴＴに用いられる通信端末の一例としての携帯電話機２ａ、２ｂ、２ｃ・・・、ＰＴＴサーバ３、及び通信網５を含んで構成される。通信網５は、基地局４ａ、４ｂ・・・などを含む携帯電話網、インターネット等のネットワーク網などを含む通信網である。ＰＴＴサーバ３は、ＰＴＴに関する管理を行うサーバである。以下、携帯電話機２ａ、２ｂ、２ｃ・・・を総称して携帯電話機２といい、基地局４ａ、４ｂ・・・を総称して基地局４という。
【００１１】
以下の説明では、携帯電話機２ａ、２ｂ及び２ｃから成るグループ（以下、ＰＴＴグループという。）内でＰＴＴが行われ、携帯電話機２ａによりＰＴＴが開始されるものとする。
携帯電話機２ａのユーザは、携帯電話機２ａのキーパッド等の入力デバイスを操作して、ＰＴＴへの参加端末として携帯電話機２ｂ、２ｃを選択してＰＴＴ開始を指示する。
【００１２】
携帯電話機２ａは、ＰＴＴサーバ３に対し、ＰＴＴへの参加を要求する端末として携帯電話機２ｂ及び２ｃを指定してＰＴＴ開始を要求する。
ＰＴＴサーバ３は、携帯電話機２ａ、２ｂ及び２ｃをＰＴＴグループとして登録し、携帯電話機２ａ、２ｂ、２ｃに対し、ＰＴＴ開始指示を通知する。携帯電話機２ａ、２ｂ、２ｃは、ＰＴＴ開始指示を受けＰＴＴ実行可能状態となる。
【００１３】
ここで、携帯電話機２ａのユーザが携帯電話機２ａのＰＴＴボタンを押下し、携帯電話機２ａのマイクロフォンに対し音声を入力する。
携帯電話機２ａは、ＰＴＴボタンの押下を検出すると、他機によって用いられていないＤＴＭＦ（Ｄｕａｌ−Ｔｏｎｅ  Ｍｕｌｔｉ−Ｆｒｅｑｕｅｎｃｙ）音を選出し、また、入力された音声を符号化して音声データを生成して、ＤＴＭＦ音を表すＤＴＭＦ情報と音声データとをＰＴＴサーバ３に送信する。
【００１４】
ＰＴＴサーバ３は、受信したＤＴＭＦ情報と音声データとを携帯電話機２ｂ及び２ｃに転送する。ここで、携帯電話機２ａ、２ｂ、２ｃは、ＤＴＭＦ情報と、例えば、ド、レ、ミなどの音名を示す音名情報との対応を示す音名テーブルを保持している。ＤＴＭＦ情報と音声データとを受信した携帯電話機２ｂ、２ｃは、受信したＤＴＭＦ情報に対応する音名（例えば、ド）の音（すなわち、携帯電話機２ａのユーザＡを判別する判別音）をレシーバに出力し、受信した音声データを復号した音声をレシーバに出力する。
【００１５】
携帯電話機２ｂのユーザが携帯電話機２ｂのＰＴＴボタンを押下し、携帯電話機２ｂのマイクロフォンに対し音声を入力した場合も、上記の携帯電話機２ａの場合と同様に、携帯電話機２ａ及び２ｃは、携帯電話機２ｂにおいて生成されたＤＴＭＦ情報に対応する音名（例えば、レ）の音（すなわち、携帯電話機２ｂのユーザＢを判別する判別音）をレシーバに出力し、受信した音声データを復号して得られた音声をレシーバに出力する。
【００１６】
携帯電話機２ｃのユーザが携帯電話機２ｃのＰＴＴボタンを押下し、携帯電話機２ｃのマイクロフォンに対し音声を入力した場合も、上記の携帯電話機２ａ、２ｂの場合と同様である。
ここで、ＤＴＭＦ情報については、携帯電話機２ａ、２ｂ、２ｃそれぞれが、他機と情報交換をし、他機が用いていないＤＴＭＦ音を示すＤＴＭＦ情報を選出する。携帯電話機２ａ、２ｂ、２ｃは、それぞれが選出したＤＴＭＦ情報を、ＰＴＴが終了するまで使用する。
【００１７】
よって、携帯電話機２ａのユーザが発した音声が携帯電話機２ｂ、２ｃのレシーバから出力される場合、音声の前にドの音名の判別音が出力され、次いで携帯電話機２ａのユーザが発した音声が出力される。
同様に、携帯電話機２ｂのユーザが発した音声が携帯電話機２ａ、２ｃのレシーバから出力される場合、音声の前にレの音名の判別音が出力され、次いで携帯電話機２ｂのユーザが発した音声が出力される。
【００１８】
同様に、携帯電話機２ｃのユーザが発した音声が携帯電話機２ａ、２ｂのレシーバから出力される場合、音声の前に例えばミの音名の判別音が出力され、次いで携帯電話機２ｃのユーザが発した音声が出力される。
以上のように、携帯電話機のユーザは、他機から送信された音声に先立ち出力される音（送信者判別音）を聴いて、引き続き出力される音声を発した送信者を区別することができる。
＜２．構成＞
＜２−１．携帯電話機２＞
以下、携帯電話機２について説明する。
【００１９】
携帯電話機２は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などから構成されるコンピュータシステムである。ＲＡＭには、コンピュータプログラムが記憶されている。マイクロプロセッサが、コンピュータプログラムに従って動作することにより、携帯電話機２は、その機能を達成する。
【００２０】
図２は、携帯電話機２の内部構成を示す図である。
携帯電話機２は、図２に示すように、マイクロフォン１１、レシーバ１２、ディスプレイ１３、入力部１４、通信アンテナ１５、無線通信部１６、信号処理部１７、報知制御部１８、スピーカ１９、表示制御部２０、記憶部２１、及び制御部２２を含んで構成される。
【００２１】
マイクロフォン１１は、通話時に、利用者が発する音声を集音して電気信号である通話信号に変換し、その通話信号を信号処理部１７に送信する。
レシーバ１２は、信号処理部１７が生成した音声信号を受信し、受信した音声信号を音声に変換して利用者が受話できるよう出力する。
ディスプレイ１３は、映像を表示する表示部である。ディスプレイ１３は、一例として、液晶ディスプレイで構成される。ディスプレイ１３は、表示制御部２０が文字、画像、映像などから生成して出力する映像信号を受信し、受信した映像信号に係る映像を表示する。
【００２２】
入力部１４は、利用者が携帯電話機２に対して指示を入力するための入力デバイスであり、取得した指示を制御部２２に通知する。入力部１４は、一例として、ＰＴＴボタン及びテンキーなどを含むキーパッド、タッチパネルなどを備えている。
ＰＴＴボタンは、普段凸状態であり、ユーザにより押下されている間だけ凹状態となって、解放されると凸状態に戻る。ＰＴＴボタンが押下されている状態では、ＰＴＴにおける自機から他機へ音声を送話し、解放されている状態では、他機からの音声を受話する。すなわち、ユーザは、自己が送話する間、ＰＴＴボタンを押下し、送話を終了して受話可能にする場合に、ＰＴＴボタンを解放する。入力部１４は、ＰＴＴボタンが押下状態であるか解放状態であるかを検出し、ＰＴＴボタンが押下状態と解放状態とのいずれであるかを示すＰＴＴ状態情報を制御部２２に出力する。
【００２３】
通信アンテナ１５は、携帯電話網を構成する基地局４との間の無線通信に用いられるアンテナである。
無線通信部１６は、通信アンテナ１５を介して、基地局４との間で無線通信を行う。無線通信部１６は、基地局４から受信した信号を復調してベースバンド信号を生成し、信号処理部１７に送信し、また、信号処理部１７から受信したベースバンド信号を変調して基地局に送信する。
【００２４】
信号処理部１７は、無線通信部１６から受信したベースバンド信号から付加データ、ＤＴＭＦ情報、音声データを復元する。付加データは、受話時における、送話者や他の受話者の携帯電話機の電話番号、送話時における、自機、他機の電話番号などを含むＰＴＴ、通話及び通信に用いるデータである。
ＤＴＭＦは、周波数の高い高群（単位  Ｈｚ）と周波数の低い低群（単位  Ｈｚ）という２つのグループの信号の合成音である。各合成音は、それぞれが対応づけられているテンキーなどのキー（例えば、数字「１」のキーなど）が押下されたときのプッシュ音として使用される。以下では、各ＤＴＭＦを表す情報をＤＴＭＦ情報という。
【００２５】
図３は、ＤＴＭＦ情報について説明するための図である。
図３（ａ）は、高群及び低群と、ＤＴＭＦ情報との対応を表すＤＴＭＦマトリクスを示す図である。
例えば、高群の１２０９Ｈｚの信号と、低群の６９７Ｈｚの信号との組み合わせ音（ＤＴＭＦ音）には、値が１のＤＴＭＦ情報が対応づけられている。この場合、ＤＴＭＦ情報の値は、テンキーが表す値に対応する。例えば値１のＤＴＭＦ情報は、「１」キーに対応する。高群の１２０９Ｈｚの信号と、低群の９４１Ｈｚの信号との組み合わせ音は、値が「＊」のＤＴＭＦ情報に対応づけられ、テンキーのうち「＊」キーに対応している。また、高群の１６３３Ｈｚの信号と、低群の６９７Ｈｚの信号との組み合わせ音は、値が「Ａ」のＤＴＭＦ情報に対応づけられている。なお、テンキーには「Ａ」などアルファベットを表すキーは無いが、ＤＴＭＦマトリクスにおいて、テンキー中に無いアルファベットや記号などに対応づけられたＤＴＭＦ音は、テンキー以外の他のキーのプッシュ音として割り当ててもよい。
【００２６】
信号処理部１７は、ベースバンド信号からＤＴＭＦ情報を復元した場合、復元したＤＴＭＦ情報を制御部２２に出力し、出力したＤＴＭＦ情報に対応する音名情報を制御部２２から受信する。ここで、音名情報は、所定音階の音名（例えば、「ド」、「レ」など）を表す情報であり、制御部２２は、音名テーブルを用いＤＴＭＦ情報を音名情報に変換する。
【００２７】
図３（ｂ）は、ＤＴＭＦ情報と音名情報との対応を示す音名テーブルを示す図である。
例えば、値が「１」のＤＴＭＦ情報は、音名「ド」に対応する。
ここで、図中では、音名情報の値として「ドm（ｍは自然数）」のように表現しているが、音名「ド」の後の数字ｍ（ここでは「１」）は、１オクターブ上の「ド」（例えば、値「Ｂ」のＤＴＭＦ情報に対応する音名「ド2」）と区別するために便宜的に付したものである。
【００２８】
信号処理部１７は、制御部２２から音名情報を受信すると、受信した音名情報により表される音名の判別音（例えば「ド」の音）を示す音声信号をレシーバ１２に出力し、次いで、受信した音声データにより示される音を示す音声信号をレシーバ１２に出力する。このときレシーバ１２からは「ド」の音が出力され、次いで、音声が出力される。レシーバ１２において、他機のユーザが発した音声の前に出力される、音名「ド」などの送信者判別音は、ユーザ毎（端末毎）に異なる音名が割り当てられ、ＰＴＴにおいて受話者が送話者を区別するのに役立つ。ここで制御部２２により、ＤＴＭＦ情報から音名情報への変換が行われているが、これは、ＤＴＭＦ音よりも、音名で表される音の方が通常良く知られており、ユーザによる判別が容易と考えられるためである。
【００２９】
また、信号処理部１７は、制御部２２からＰＴＴボタン押下により生じる送話指示を受けた場合、ユーザが発声した通話音声を表す音声信号をマイクロフォン１１から受信し符号化して音声データを生成し、制御部２２からＤＴＭＦ情報と、通信に必要な付加データを受信し、付加データとＤＴＭＦ情報と音声データとを伝送するベースバンド信号を生成して無線通信部１６に送信する。
【００３０】
報知制御部１８は、利用者に対する報知についての制御を行う。報知制御部１８が報知を行うタイミングは、着信があった場合、ＰＴＴ開始指示を受けた場合などである。報知制御部１８は、予め報知を行う条件ごとに対応づけられた報知音を示す音声信号をスピーカ１９に出力し、スピーカ１９から報知音を発音させることで報知を行う。
表示制御部２０は、ディスプレイ１３に画像を表示するための制御を行う制御部である。表示制御部２０は、一例として、ディスプレイ１３に表示するための映像の生成、その映像を示す信号のディスプレイ１３への出力などを行う。
【００３１】
記憶部２１は、アドレス帳、使用ＤＴＭＦテーブルなど各種の情報を記憶する記憶デバイスである。
アドレス帳には、ユーザ名と、当該ユーザの所持する携帯電話機の電話番号、メールアドレスその他の情報とが対応づけられて記載されている。
図３（ｃ）は、使用ＤＴＭＦテーブルを示す図である。
【００３２】
使用ＤＴＭＦテーブルは、ＤＴＭＦ情報と、自他フラグとから成る使用ＤＴＭＦエントリのリストである。使用ＤＴＭＦエントリのそれぞれが、ＰＴＴに参加している１台の携帯電話機に対応する。自他フラグは、ＤＴＭＦ符号が、自機に対応づけられているか他機に対応づけられているかを示す。ＰＴＴが開始されるまで、使用ＤＴＭＦテーブル中には、使用ＤＴＭＦエントリが記録されていない状態である。
【００３３】
そして、使用ＤＴＭＦテーブルは、ＰＴＴが開始されてから、ＰＴＴにおける通話の進行に従って更新され、ＰＴＴが終了すると、使用ＤＴＭＦテーブルから使用ＤＴＭＦエントリが全て消去される。
図４は、ＰＴＴにおける使用ＤＴＭＦテーブルの更新について説明するための図である。
【００３４】
図４は、ユーザＡ、Ｂ及びＣの各ユーザの携帯電話機２ａ、２ｂ及び２ｃが保持している使用ＤＴＭＦテーブルが、ＰＴＴ処理の進行に伴い、（ａ）、（ｂ）、（ｃ）、（ｄ）の順に時系列で更新されていることを表している。
また、ユーザＡがＰＴＴを開始して、ユーザＢとユーザＣはＰＴＴに参加している。
図４（ａ）は、ユーザＡがＰＴＴを開始し送話した場合の各携帯電話機の使用ＤＴＭＦテーブルを示す。
【００３５】
ユーザＡの携帯電話機２ａは、ＰＴＴを開始し送話する場合に、値「１」のＤＴＭＦ情報で表されるＤＴＭＦ音を選出し、そのＤＴＭＦ情報と、自を示す自他フラグから成る使用ＤＴＭＦエントリを使用ＤＴＭＦテーブルに記録する。ここで、携帯電話機２ａは、値「１」に対応するＤＴＭＦ音を選出しているが、これは一例であり、使用ＤＴＭＦテーブルに記録されていないものを選出すればよい。そして携帯電話機２ａは、参加者であるユーザＢの携帯電話機２ｂと、ユーザＣの携帯電話機２ｃに対し、自機が選出したＤＴＭＦ音に係るＤＴＭＦ情報（１）を送信する。ここでＤＴＭＦ情報（ｎ）（ｎは自然数）は、値がｎのＤＴＭＦ情報を表す。携帯電話機２ｂ及び２ｃは、受信したＤＴＭＦ情報（１）と、他を示す自他フラグ（以下、他フラグという。）とから成る使用ＤＴＭＦエントリを自機の使用ＤＴＭＦテーブルに記録する。この結果、携帯電話機２ａ、２ｂ及び２ｃそれぞれが保持する使用ＤＴＭＦテーブルは、使用ＤＴＭＦテーブル６１、７１及び８１のようになる。
【００３６】
以上により、携帯電話機２ａは、自機に値「１」のＤＴＭＦ情報が割り当てられていることを認識し、携帯電話機２ｂ及び２ｃは、他機に値「１」のＤＴＭＦ情報が割り当てられていることを認識できる。
図４（ｂ）は、図４（ａ）の状態から、さらに、ユーザＢが送話した場合の各携帯電話機の使用ＤＴＭＦテーブルを示す。
【００３７】
ユーザＢの携帯電話機２ｂは、送話する場合に、使用ＤＴＭＦテーブルに既に記録されている値「１」のＤＴＭＦ音以外のＤＴＭＦ音を選出し、選出したＤＴＭＦ音を表すＤＴＭＦ情報（ここでは、値「２」のＤＴＭＦ情報）と、自を示す自他フラグ（以下、自フラグという。）から成る使用ＤＴＭＦエントリを使用ＤＴＭＦテーブルに記録する。そして携帯電話機２ｂは、携帯電話機２ａ及び２ｃに対し、自機のＤＴＭＦ情報（２）を送信する。携帯電話機２ａ及び２ｃは、受信したＤＴＭＦ情報（２）と、他を示す自他フラグとから成る使用ＤＴＭＦエントリを自機の使用ＤＴＭＦテーブルに記録する。なお、受信したＤＴＭＦ情報（２）と同一の情報が使用ＤＴＭＦテーブルに既に記録されている場合には、重複した記録は行わない。この結果、携帯電話機２ａ、２ｂ及び２ｃそれぞれが保持する使用ＤＴＭＦテーブルは、使用ＤＴＭＦテーブル６２、７２及び８２のようになる。
【００３８】
以上により、携帯電話機２ａは、自機にＤＴＭＦ情報（１）が割り当てられ、他機にＤＴＭＦ情報（２）が割り当てられていることを認識できる。また、携帯電話機２ｂは、自機にＤＴＭＦ情報（２）が割り当てられていることを認識し、他機にＤＴＭＦ情報（１）が割り当てられていることを認識できる。また、携帯電話機２ｃは、他機にＤＴＭＦ情報（１）及びＤＴＭＦ情報（２）が割り当てられていることを認識できる。
【００３９】
図４（ｃ）は、図４（ｂ）の状態から、さらに、ユーザＡが送話した場合の各携帯電話機の使用ＤＴＭＦテーブルを示す。
ユーザＡの携帯電話機２ａは、使用ＤＴＭＦテーブルに既に自フラグが記録され、自機に値「１」のＤＴＭＦ情報が割り当てられていることを認識している。よって、携帯電話機２ａは、送話する場合には、自フラグに対応するＤＴＭＦ情報（１）を携帯電話機２ｂ及び２ｃに送信する。また、携帯電話機２ｂ及び２ｃは、受信したＤＴＭＦ情報（１）と同一のＤＴＭＦ情報が既に使用ＤＴＭＦテーブルに記録されているので、使用ＤＴＭＦテーブルへの記録は行わない。
【００４０】
この結果、携帯電話機２ａ、２ｂ及び２ｃそれぞれが保持する使用ＤＴＭＦテーブルは、使用ＤＴＭＦテーブル６３、７３及び８３のようになる。
図４（ｄ）は、図４（ｃ）の状態から、さらに、ユーザＣが送話した場合の各携帯電話機の使用ＤＴＭＦテーブルを示す。
ユーザＣの携帯電話機２ｃは、送話する場合に、使用ＤＴＭＦテーブルに既に記録されている値「１」及び「２」のＤＴＭＦ音以外のＤＴＭＦ音を表すＤＴＭＦ情報（３）を選出し、選出したＤＴＭＦ情報（３）と、自フラグから成る使用ＤＴＭＦエントリを使用ＤＴＭＦテーブルに記録する。そして携帯電話機２ｃは、携帯電話機２ａ及び２ｂに対し、自機が選出したＤＴＭＦ情報（３）を送信する。携帯電話機２ｂ及び２ｃは、受信したＤＴＭＦ情報（３）と、他フラグとから成る使用ＤＴＭＦエントリを自機の使用ＤＴＭＦテーブルに記録する。この結果、携帯電話機２ａ、２ｂ及び２ｃそれぞれが保持する使用ＤＴＭＦテーブルは、使用ＤＴＭＦテーブル６４、７４及び８４のようになる。
【００４１】
以上により、携帯電話機２ａは、自機にＤＴＭＦ情報（１）が割り当てられていることを認識し、他機にＤＴＭＦ情報（２）、ＤＴＭＦ情報（３）が割り当てられていることを認識できる。また、携帯電話機２ｂは、自機にＤＴＭＦ情報（２）が割り当てられていることを認識し、他機にＤＴＭＦ情報（１）、ＤＴＭＦ情報（３）が割り当てられていることを認識できる。また、携帯電話機２ｃは、自機にＤＴＭＦ情報（２）が割り当てられていることを認識し、他機にＤＴＭＦ情報（１）、ＤＴＭＦ情報（２）が割り当てられていることを認識できる。以上で、図４の説明を終える。
【００４２】
制御部２２は、携帯電話機２のＰＴＴ動作時の処理を含む全体的な制御を行う制御部である。ＰＴＴに関する制御部２２の処理を、（ａ）自機においてＰＴＴを開始するＰＴＴ実行処理、（ｂ）他機が開始したＰＴＴに参加するＰＴＴ参加処理に分けて説明する。
＜ＰＴＴ実行処理＞
図５は、ＰＴＴ実行処理を示すフローチャートである。
【００４３】
まず、携帯電話機２のユーザが、入力部１４を操作して、ＰＴＴ開始指示を入力する（Ｓ１１）。次に、ユーザは、ＰＴＴに参加するユーザの選出を行う（Ｓ１２）。一例としては、制御部２２が、ＰＴＴ開始指示の入力があったことを検出すると、ディスプレイ１３にＰＴＴ参加ユーザ選択画面としてアドレス帳に登録されているユーザ名を一覧的に表示する。携帯電話機２のユーザは、ユーザ名の一覧からＰＴＴに参加を要求するユーザを選出する。以下、この選出されたユーザを参加ユーザという。そして、制御部２２は、参加ユーザの携帯電話機の電話番号をアドレス帳から読み出し、読み出した電話番号と自機の電話番号とを含むＰＴＴ開始要求をＰＴＴサーバ３に送信する（Ｓ１３）。
【００４４】
なお、制御部２２からのＰＴＴサーバ３への情報の送信は、送信する情報を信号処理部１７が符号化し、符号化された情報を無線通信部１６がアンテナ１５を用いて基地局４ａ、４ｂ・・・のいずれかに送信し、情報を受信した基地局がＰＴＴサーバ３にその情報を転送する。以下の説明では、情報送信の説明毎にこれらを記載するのは煩雑なので省略し、単に「制御部２２が、情報をＰＴＴサーバ３に送信する」のように記載する。受信についても同様に、単に、「制御部２２が、ＰＴＴサーバ３から情報を受信する」と記載する。
【００４５】
制御部２２は、ＰＴＴ開始要求に対する応答として、ＰＴＴサーバ３からＰＴＴ開始指示を受信すると（Ｓ１４）、ＰＴＴ通話処理を行う（Ｓ１５）。ＰＴＴ通話処理の詳細は、後述する。ユーザにより、入力部１４を用いてＰＴＴ終了指示が入力されない間（Ｓ１６：Ｎｏ）、制御部２２はＰＴＴ通話を継続し、ＰＴＴ終了指示が入力されると（Ｓ１６：Ｙｅｓ）、ＰＴＴサーバ３に対しＰＴＴ終了要求を送信し、ＰＴＴ実行処理を終了する。
＜ＰＴＴ通話処理＞
図６は、Ｓ１５の詳細であるＰＴＴ通話の処理を示すフローチャートである。
【００４６】
制御部２２は、ＰＴＴキーが押下されるのを待ち（Ｓ３１）、押下された場合（Ｓ３１：Ｙｅｓ）、ＰＴＴサーバ３に発言権取得要求を送信する（Ｓ３２）。発言権取得要求に対する応答としてＰＴＴサーバ３から発言権取得失敗が通知された場合（Ｓ３３：Ｎｏ）、ＰＴＴ通話処理を終了する。ＰＴＴサーバ３から発言権取得成功が通知された場合（Ｓ３３：Ｙｅｓ）、記憶部２１に自フラグを有する使用ＤＴＭＦエントリ（以下、自使用ＤＴＭＦエントリという。）が記録されているか否かを判定する（Ｓ３４）。自使用ＤＴＭＦエントリが記録されていなかった場合（Ｓ３４：Ｎｏ）、使用ＤＴＭＦテーブルに記録されていないＤＴＭＦ音を選出し（Ｓ３５）、選出したＤＴＭＦ音を示すＤＴＭＦ情報（以下、自ＤＴＭＦ情報という。）と、自フラグとを含む使用ＤＴＭＦエントリを使用ＤＴＭＦテーブルに記録する（Ｓ３６）。
【００４７】
そして、制御部２２は、自ＤＴＭＦ情報をＰＴＴサーバ３に送信し（Ｓ３７）、次いで、マイクロフォン１１により集音された音声が符号化された音声データを信号処理部１７から受け取り、ＰＴＴサーバ３に送信する（Ｓ３８）。このとき、付加データとして自機の電話番号も送信する。ユーザにより、ＰＴＴキーが解放されるまで、Ｓ３８を繰り返し（Ｓ３９：Ｎｏ）、ＰＴＴキーが解放されると（Ｓ３９：Ｙｅｓ）、ＰＴＴサーバ３に発言権解放要求を送信する。
【００４８】
Ｓ３１において、ＰＴＴキーの押下が検出されていない場合（Ｓ３１：Ｎｏ）、携帯電話機２は、受話状態となっている。受話状態において、制御部２２は、ＤＴＭＦ情報を受信したか否かを判定し（Ｓ５１）、受信した場合（Ｓ５１：Ｙｅｓ）、受信したＤＴＭＦ情報が使用ＤＴＭＦテーブルに記録されているか否か判定する（Ｓ５２）。記録されていない場合（Ｓ５２：Ｎｏ）、受信したＤＴＭＦ情報と、他フラグとから成る使用ＤＴＭＦエントリ（以下、他ＤＴＭＦエントリ）を、使用ＤＴＭＦテーブルに記録する（Ｓ５３）。そして、制御部２２は、受信したＤＴＭＦ情報を、音名テーブルを用いて対応する音名情報に変換する（Ｓ５４）。次に制御部２２は、音名情報で示される音名の送信者判別音を信号処理部１７を介してレシーバ１２に出力させる（Ｓ５５）。Ｓ５２において、受信したＤＴＭＦ情報が使用ＤＴＭＦテーブルに記録されていた場合（Ｓ５２：Ｙｅｓ）、Ｓ５４に移行する。
【００４９】
また、ＰＴＴサーバ３から音声データを受信した場合（Ｓ５６）、音声データにより表される音声を信号処理部１７を介してレシーバ１２に出力させ（Ｓ５７）、ＰＴＴ通話処理を終了する。
＜ＰＴＴ参加処理＞
図７は、ＰＴＴ参加の処理を示すフローチャートである。
【００５０】
携帯電話機２は、ＰＴＴが開始されていない状態で、ＰＴＴサーバ３からＰＴＴ開始要求を受信すると、ＰＴＴ参加状態になる（Ｓ７１）。そして、報知制御部１８がスピーカ１９に報知音を報知させ、また、表示制御部２０がディスプレイ１３にＰＴＴ参加を示す表示を行い、ユーザに対しＰＴＴ参加状態となったことを報知する（Ｓ７２）。そして、ＰＴＴ通話処理を行う（Ｓ７３）。このＳ７３は、図６で説明したＰＴＴ通話処理と同じ処理である。そして、ＰＴＴサーバ３からＰＴＴ終了指示を受信しない間はＰＴＴ通話処理を行い（Ｓ７４：Ｎｏ）、ＰＴＴ終了指示を受信した場合（Ｓ７４：Ｙｅｓ）、使用ＤＴＭＦテーブルの内容を消去して（Ｓ７５）、ＰＴＴ参加処理を終了する。
＜２−２．ＰＴＴサーバ３＞
以下、ＰＴＴサーバ３について説明する。
【００５１】
ＰＴＴサーバ３は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などから構成されるコンピュータシステムである。ＲＡＭには、コンピュータプログラムが記憶されている。マイクロプロセッサが、コンピュータプログラムに従って動作することにより、ＰＴＴサーバ３は、その機能を達成する。
【００５２】
図８は、ＰＴＴサーバ３の内部構成を示す図である。
ＰＴＴサーバ３は、図８に示すように、通信部４１、記憶部４２及び制御部４３を含んで構成される。
通信部４１は、基地局４を介して携帯電話機２との通信を行う。なお、基地局４の構成、動作は、公知なので説明を省略する。また、通信部４１と携帯電話機２との通信は、基地局４を含む通信網５を介して行っている。以下の説明では、通信毎に基地局４、通信網５について記載するのは煩雑なので、以下「通信部４１と携帯電話機２とが通信する。」「ＰＴＴサーバ３と携帯電話機２とが通信する。」と省略して記載する。
【００５３】
記憶部４２は、各種の情報を記憶する。
制御部４３は、ＰＴＴサーバ３の全体制御を行う制御部である。
図９は、ＰＴＴサーバ３によるＰＴＴに係る制御部４３の処理を示すフローチャートである。
まず、制御部４３は、携帯電話機２からＰＴＴ開始要求を受信すると（Ｓ９１）、ＰＴＴ開始要求に含まれる電話番号を、ＰＴＴグループを構成する携帯電話機の電話番号として記憶部４２に記憶する。そして、制御部４３は、ＰＴＴグループの各携帯電話機にＰＴＴ開始指示を送信する（Ｓ９３）。
【００５４】
制御部４３は、ＰＴＴグループ内の携帯電話機２のいずれかから発言権取得要求を受信した場合（Ｓ９４：Ｙｅｓ）、発言権を既にいずれかの携帯電話機に割り当てられているか否かを判定する（Ｓ９５）。
制御部４３は、発言権が既に割り当てている場合（Ｓ９５：Ｙｅｓ）、発言権取得要求を行った携帯電話機（以下、発言権要求端末ともいう。）に対し、発言権割当失敗を通知し（Ｓ１１１）、後述のＳ９８に移行する。制御部４３は、発言権を割り当てていない場合（Ｓ９５：Ｎｏ）、発言権要求端末に発言権を割り当てて、発言権要求端末を示す情報を記憶部４２に記録する（Ｓ９６）。そして、発言権要求端末に対し、発言権割当成功を通知する（Ｓ９７）。
【００５５】
また、制御部４３は、送話者に係るＤＴＭＦ情報を受信した場合（Ｓ９８：Ｙｅｓ）、受信したＤＴＭＦ情報を受話者の携帯電話機に転送する（Ｓ９９）。
また、制御部４３は、送話者に係る音声データを受信した場合（Ｓ１００：Ｙｅｓ）、受信した音声データを受話者の携帯電話機に転送する（Ｓ１０１）。
また、制御部４３は、発言権解放要求を受信した場合（Ｓ１０２：Ｙｅｓ）、発言権解放要求をした端末が記憶部４２に記憶している発言権要求端末と同一の場合には、発言権の返還として記憶部４２に記憶している発言権要求端末を示す情報を消去する（Ｓ１０３）。
【００５６】
また、制御部４３は、ＰＴＴ終了要求を受信した場合には（Ｓ１０４：Ｙｅｓ）、ＰＴＴグループ内の携帯電話機にＰＴＴ終了指示を送信し、ＰＴＴに係る処理を終了する（Ｓ１０５）。
＜３．動作＞
図１０は、本実施の形態に係るＰＴＴ実行時の、ＰＴＴシステム１全体の処理を示すフローチャートである。
【００５７】
ここでは、ユーザＡの携帯電話機２ａが、ユーザＢの携帯電話機２ｂ、ユーザＣの携帯電話機２ｃをＰＴＴグループとして指定し、ＰＴＴを開始する場合について説明する。
なお、携帯電話機２ａ、２ｂ、２ｃ及びＰＴＴサーバ３それぞれの詳細動作については説明済みであるため、以下では、携帯電話機２ａ〜２ｃ及びＰＴＴサーバ３間の情報の送受信について主に説明する。
【００５８】
まず、携帯電話機２ａのユーザＡが、入力部１４を操作してＰＴＴ開始を指示する。
携帯電話機２ａは、ＰＴＴサーバ３に対しＰＴＴ開始要求を送信する（Ｓ２００）。
ＰＴＴ開始要求には、携帯電話機２ａの電話番号と、参加ユーザＢ及びＣが使用する携帯電話機２ｂ及び２ｃの電話番号を含まれる。
ＰＴＴサーバ３は、ＰＴＴ開始指示を携帯電話機２ｂ及び２ｃ及び２ａに送信する（Ｓ２０１〜Ｓ２０３）。
【００５９】
次に、発言を行うユーザＡの携帯電話機２ａは、ユーザＡによるＰＴＴボタンの押下を検出し、発言権取得要求をＰＴＴサーバ３に送信する（Ｓ２０４）。
ＰＴＴサーバ３は、いずれの携帯電話機にも発言権割り当てていないので、携帯電話機２ａに発言権を割り当てて（Ｓ２０５）、発言権取得成功を携帯電話機２ａに通知する（Ｓ２０６）。
【００６０】
携帯電話機２ａは、発言権取得成功の通知を受けると、ＤＴＭＦ情報（値は「１」）を選出し、また、ユーザＡの音声を取得して音声データを生成し（Ｓ２０７）、ＤＴＭＦ情報と音声データとをＰＴＴサーバ３に送信する（Ｓ２０８）。
ＰＴＴサーバ３は、携帯電話機２ａから受信したＤＴＭＦ情報と、音声データとをＰＴＴグループ内の携帯電話機２ｂ及び２ｃに送信する（Ｓ２０９、Ｓ２１０）。
【００６１】
携帯電話機２ｂ及び２ｃは、受信したＤＴＭＦ情報に対応する音をレシーバ１２から出力し、音声データにより表される音声をレシーバ１２から出力する（Ｓ２１１、Ｓ２１２）。
ここで、ユーザＢが携帯電話機２ｂのＰＴＴボタンを押下した場合、携帯電話機２ｂがユーザＢによるＰＴＴボタンの押下を検出する。このとき、携帯電話機２ｂは、発言権取得要求をＰＴＴサーバ３に送信する（Ｓ２１３）。
【００６２】
ＰＴＴサーバ３は、既に、発言権を携帯電話機２ａに割り当てており、その発言権は解放されていないので、発言権割当失敗と判断する（Ｓ２１４）。そして、ＰＴＴサーバ３は、携帯電話機２ｂに対し、発言権獲得失敗を送信する（Ｓ２１５）。携帯電話機２ｂは、ＰＴＴサーバ３から発言権獲得失敗通知を受信し、発言権獲得に失敗したことを認識する。
【００６３】
次に、ユーザＡが通話を終了して、押下しているＰＴＴボタンを解放する。ＰＴＴボタンの解放を検出した場合、携帯電話機２ａは、発言権解放要求をＰＴＴサーバ３に送信する（Ｓ２１６）。
ＰＴＴサーバ３は、携帯電話機２ａに割り当てていた発言権を解放する（Ｓ２１７）。
ここで、ユーザＢが、再度、携帯電話機２ｂのＰＴＴボタンを押下する。すると携帯電話機２ｂがユーザＢによるＰＴＴボタンの押下を検出し、発言権取得要求をＰＴＴサーバ３に送信する（Ｓ２１８）。
【００６４】
ＰＴＴサーバ３は、発言権をいずれの携帯電話機にも割り当てていないので、発言権取得要求の送信元である携帯電話機２ｂに発言権を割り当てる（Ｓ２１９）。そして、ＰＴＴサーバ３は、携帯電話機２ｂに発言権取得成功を通知する（Ｓ２２０）。
携帯電話機２ｂは、発言権取得成功の通知を受けると、ＤＴＭＦ情報（値は「２」）を選出し、また、ユーザＢの音声を取得して音声データを生成し（Ｓ２２１）、ＤＴＭＦ情報（２）と音声データとをＰＴＴサーバ３に送信する（Ｓ２２２）。
【００６５】
ＰＴＴサーバ３は、携帯電話機２ｂから受信したＤＴＭＦ情報と、音声データとをＰＴＴグループ内の携帯電話機２ａ及び２ｃに送信する（Ｓ２２３、Ｓ２２４）。
携帯電話機２ａ及び２ｃは、受信したＤＴＭＦ情報に対応する音をレシーバ１２から出力し、音声データにより表される音声をレシーバ１２から出力する（Ｓ２２５、Ｓ２２６）。
【００６６】
ここで、携帯電話機２ａのユーザＡが、入力部１４を操作してＰＴＴ終了を指示する（Ｓ２２７）。すると、携帯電話機２ａは、ＰＴＴサーバ３に対しＰＴＴ終了要求を送信する（Ｓ２２７）。
ＰＴＴサーバ３は、ＰＴＴ終了要求を受信すると、ＰＴＴ終了指示を、携帯電話機２ｂと２ｃに送信し（Ｓ２２８、Ｓ２２９）、ＰＴＴ処理を終了する。
＜４．変形例＞
以上、本発明に係る通信端末の実施形態を説明したが、例示した通信端末について以下のように変形することも可能であり、本発明が上述の実施形態で示した通りの通信端末に限られないことは勿論である。
【００６７】
（１）上述の実施の形態では、ユーザを判別する判別音が、通話に係る音声の前に出力されるとしたがこれに限らず、判別音によりユーザを判別できる態様であればよい。
例えば、通話に係る音声の後に判別音が出力してもよいし、通話に係る音声の一部、或いは会話の途切れた部分に重畳して出力してもよい。
（２）上述の実施の形態では、ＤＴＭＦ音から音名で表される音への変換を行っていたが、これに限らず、判別音によるユーザの判別を補助できる態様であればよい。例えば、動物の鳴き声、波の音、特定周波数の音など識別容易と考えられる他の音への変換を行うこととしてもよい。
【００６８】
また、ＤＴＭＦ音から、音名で示される音への変換を行わずに、ＤＴＭＦ情報により示されるＤＴＭＦ音をレシーバ１２に出力することとしてもよい。この場合、ＤＴＭＦ音に引き続いて音声データにより示される音を出力し、制御部２２によるＤＴＭＦ音情報から音名情報への変換処理は省略する。
なお、上述の実施の形態において、ＤＴＭＦ音を、ド、レ、ミなどの音名の音に変換していたのは、受話者にとっては、ド、レ、ミ・・・の各音を区別する場合に比べると、相異なるＤＴＭＦ音同士を区別する場合の方が難しいと考えられるためである。
【００６９】
（３）ＤＴＭＦ情報は、上述の実施の形態では、例えばＤＴＭＦ音が高群の１２０９Ｈｚの信号と、低群の６９７Ｈｚの信号との組み合わせ音の場合、値が１であり、テンキーのうち「１」キーに対応しているとしていたが、この形式には限らない。
例えば、高群の１２０９Ｈｚの信号と、低群の９４１Ｈｚの信号との組み合わせ音を直接に符号化したものであってもよい。符号化は、例えば、通話に係る音声を音声データに符号化するのと同様の符号化手法で行っても良い。この場合、１２０９Ｈｚの信号と６９７Ｈｚの信号との組み合わせ音と通話に係る音声とが連続している音を、一括して符号化することもできる。そうすると、ＤＴＭＦ音と、通話に係る音声とを別々に符号化する必要はなくなる。
【００７０】
（４）上述の実施の形態において、ＰＴＴは、ＰＴＴを開始した携帯電話機において、そのユーザによりＰＴＴ終了指示が入力されるまで行うこととしてが、これに限らず他のイベントをトリガとしてＰＴＴを終了することとしてもよい。例えば、所定時間（１０分間）、いずれの携帯電話機においてもＰＴＴボタンの押下がされない場合を、サーバが検出しＰＴＴを終了するなどしてもよい。
【００７１】
（５）上述の実施の形態において、各携帯電話機によるＤＴＭＦ情報の選出は、値が１のＤＴＭＦ情報がまず選出され、次に値が２のＤＴＭＦ情報が選出され、・・・というように、予めＤＴＭＦ情報の選出順が決まっており、その順序通りに選出することとしていたが、これに限るものではなく、重複無く各携帯電話機がＤＴＭＦ情報を選出できれば他のアルゴリズムにより選出してもよい。
【００７２】
（ａ）例えば、ＤＴＭＦ情報を選出すべきときに、ランダムな数を生成し、その生成した数が既に使用されていない場合に、その生成した数をＤＴＭＦ情報として採用することとしてもよい。この場合、生成した数が既に使用されていれば、再度新たな数をランダムに生成する。使用されていない数を生成するまで、新たな数をランダムに生成する処理を繰り返す。
【００７３】
（ｂ）また、自端末に割り当てられている電話番号など一意な情報の全部又は一部をＤＴＭＦ情報として採用するとしてもよいし、或いはこれらの情報から生成し得る一意な数をＤＴＭＦ情報として採用するなどとしてもよい。
（６）上述の実施の形態、及び変形例で示した各処理を、各携帯電話機、ＰＴＴサーバのプロセッサ、及びそのプロセッサに接続された各種回路に実行させるための機械語或いは高級言語のプログラムコードからなる制御プログラムを、記録媒体に記録すること、又は各種通信路等を介して流通させ頒布することもできる。このような記録媒体には、ＩＣカード、ハードディスク、光ディスク、フレキシブルディスク、ＲＯＭ、フラッシュメモリ等がある。流通、頒布された制御プログラムはプロセッサに読み出され得るメモリ等に格納されることにより利用に供され、そのプロセッサがその制御プログラムを実行することにより各実施形態で示したような各機能が実現されるようになる。なお、プロセッサは、制御プログラムを直接実行する他、コンパイルして実行或いはインタプリタにより実行してもよい。また、本発明は、上述の実施の形態、及び変形例で示した各処理を実現する方法であるとしてもよい。
【００７４】
（７）上述の実施の形態及び変形例で示した各機能構成要素は、その機能を実行する回路として実現されてもよいし、１又は複数のプロセッサによりプログラムを実行することで実現されてもよい。また、ＩＣ、ＬＳＩその他の集積回路のパッケージとして構成されるものとしてもよい。このパッケージは各種装置に組み込まれて利用に供され、これにより各種装置は、各実施形態で示したような各機能を実現するようになる。
【００７５】
（８）上述の各実施形態及び各変形例を組み合わせてもよいし、各実施形態及び各変形例を部分的に組み合わせてもよい。
【産業上の利用可能性】
【００７６】
本発明の通信端末は、ＰＴＴなどのグループ通話を実現するシステムの端末として好適である。
【符号の説明】
【００７７】
１      ＰＴＴシステム
２、２ａ、２ｂ、２ｃ      携帯電話機
３      ＰＴＴサーバ
４、４ａ、４ｂ      基地局
５      通信網
１１      マイクロフォン
１２      レシーバ
１３      ディスプレイ
１４      制御部
１５      通信アンテナ
１６      無線通信部
１７      信号処理部
１８      報知制御部
１９      スピーカ
２０      表示制御部
２１      記憶部
２２      制御部
４１      通信部
４２      記憶部
４３      制御部
【図１】
0005912578.tif 000002
【図２】
0005912578.tif 000003
【図３】
0005912578.tif 000004
【図４】
0005912578.tif 000005
【図５】
0005912578.tif 000006
【図６】
0005912578.tif 000007
【図７】
0005912578.tif 000008
【図８】
0005912578.tif 000009
【図９】
0005912578.tif 000010
【図１０】
0005912578.tif 000011